(57)【要約】【解決手段】  バニティミラーフレーム（７０）は、ランプをフレーム内の適所に保持するためインサート成形された電気コンタクト（１１７、１１８）を有し、このコンタクトは、サンバイザコアに取り付けられたときにサンバイザコアの電源と位置合わせされた状態で電気接続される。更に、バニティミラーフレームは、ミラーカバーを枢動可能に所定の位置に収容し保持するための独特なソケット（７８）を含む。カバーを閉位置と開位置の間でスナップ式に開閉するためにフレームとカバーの間に戻り止めばねが延在する。カバーは更に、カバーが開かれたときに電気スイッチと協同してランプに動作電力を提供するカム（９５、９７）を含む。
2006506275.tif 000002
【特許請求の範囲】
【請求項１】
バニティミラー組立体であって、
ミラーと前記ミラー照明用のランプとを収容するように適合され、閉止型円筒形ソケットと、前記閉止型円筒形ソケットから長手方向に離間された開放型半円筒形ソケットとを含むミラーフレームと、
前記閉止型円筒形ソケット内に延在する第１の枢動軸と、前記開放型半円筒形ソケット内にスナップ嵌合する第２の枢動軸とを有するカバーと、
前記ランプを覆って前記ミラーフレーム内にスナップ嵌合するように適合され、前記カバーを前記ミラーフレームと係合した状態で保持するために前記第２の枢動軸と係合する縁部を有するレンズを含むバニティミラー組立体。
【請求項２】
前記ミラーフレームが、高分子材料でモールド成形され、前記バニティミラー組立体がサンバイザコアに取り付けられたときにサンバイザコアの導体と係合するように適合されたコンタクトを含むインサート成形電気回路を含む、請求項１に記載の組立体。
【請求項３】
前記電気回路が、更に、前記ランプを収容するランプソケットを画定する、請求項２に記載の組立体。
【請求項４】
前記電気回路が、更に、偏倚可能なスイッチコンタクトを含むスイッチを含む、請求項３に記載の組立体。
【請求項５】
前記カバーの前記第１と第２の枢動軸の一方が、前記カバーが開位置にあるときに前記スイッチを作動させて前記ランプソケット内に配置されたランプに動作電力を提供するために前記偏倚可能なコンタクトと選択的に係合するスイッチカムを含む、請求項４に記載の組立体。
【請求項６】
前記フレームが、少なくとも１つのカバー係合ばねを含み、前記カバーが、前記カバーを開位置と閉位置に選択的に保持するために前記ばねと係合するカムを含む、請求項５に記載の組立体。
【請求項７】
前記カバーが、レンズを取り囲む凹部を含み、この凹部は、カバーがフレームとレンズに対して動くことを許容する、請求項６に記載の組立体。
【請求項８】
照明付きバニティミラー組立体であって、
ミラーを収容するように適合されたミラーフレームであって、前記ミラーを照明するランプを含み、カバーを前記フレームにスナップ式に組み立てることを可能にするために前記フレームの縁の近くにカバー収容ソケットを含み、更に少なくとも１つの戻り止めばね収容ソケットとを含むミラーフレームと、
前記ソケット内に延在する第１及び第２の枢動軸を有するカバーであって、前記カバーのスナップ式開閉を制御するために前記戻り止めばねと位置合わせされたカムを含むカバーと、
前記フレーム内で前記カバー枢動軸の少なくとも１つを保持するために前記フレームに結合されたレンズとを含む組立体。
【請求項９】
前記ミラーフレームが、高分子材料でモールド成形され、前記バニティミラー組立体がサンバイザコアに取り付けられたときにサンバイザコアの導体と係合するように適合されたコンタクトを含むインサート成形電気回路を含む、請求項８に記載の組立体。
【請求項１０】
前記電気回路が、更に、前記ランプを収容するランプソケットを画定する、請求項９に記載の組立体。
【請求項１１】
前記電気回路が、更に、偏倚可能なスイッチコンタクトを含むスイッチを含む、請求項１０に記載の組立体。
【請求項１２】
前記カバーの前記第１と第２の枢動軸の一方が、前記カバーが開位置にあるときに前記スイッチを作動させて前記ランプソケット内に配置されたランプに動作電力を提供するために前記偏倚可能なコンタクトと選択的に係合するスイッチカムを含む、請求項１１に記載の組立体。
【請求項１３】
電気部品を収容するように適合されたハウジングを含むサンバイザ用電気的組立体の改良であって、
前記ハウジングが、高分子材料でモールド成形されていると共に、前記ハウジング内の電気部品に結合されたインサート成形電気回路を含み、前記電気回路は、前記ハウジングをサンバイザコアに組み立てたときに、サンバイザコア内で利用可能な電源を前記電気部品に結合するためにサンバイザコアのコンタクトと係合するように適合されたコンタクトを含む
ことを含む組立体。
【請求項１４】
前記ハウジングが照明付きバニティミラーフレームであり、前記電気部品がランプである、請求項１３に記載の組立体。
【請求項１５】
前記ミラーフレームに枢動可能に取り付けられたカバーを更に含み、回路は更にスイッチを含み、スイッチは、前記カバーが開位置にあるときに前記スイッチを作動させて前記ランプに動作電力を提供するために前記カバーによって係合される偏倚可能な要素を含む、請求項１４に記載の組立体。
【請求項１６】
サンバイザ・バニティミラー組立体であって、
車両電気システムに結合する少なくとも１つの電気導体を有するサンバイザ本体と、
ミラーを収容するように適合されたミラーフレームとを含み、前記ミラーフレームが、高分子材料でモールド成形され、前記ミラーフレーム内の電気部品に結合されたインサート成形電気回路を含み、前記電気回路は、前記フレームが前記サンバイザ本体に取り付けられたときに前記サンバイザ本体の前記導体と係合して前記本体内で利用可能な電源を前記電気部品に結合するように適合された少なくとも１つのコンタクトを含む組立体。
【請求項１７】
前記サンバイザ本体は、前記電気回路の前記コンタクトと係合される位置に導体を露出させた被覆除去端を有する絶縁電気導体を位置決めする少なくとも１つの導体保持突出部を含む、請求項１６に記載の組立体。
【請求項１８】
前記サンバイザ本体が、前記導体を前記サンバイザ本体に保持するフックを含む第１の突出部と、前記導体の被覆除去端を受け入れ固定位置において保持する切欠きを含む第２の突出部とを含む、請求項１７に記載の組立体。
【請求項１９】
前記電気回路の前記コンタクトは、離間した１対のばね付勢式の壁を含み、前記一対の壁は、前記サンバイザ本体の前記第２の突出部をまたいで延在し、前記フレームが前記サンバイザ本体に取り付けられたときに前記切欠き内に保持された前記導体の前記被覆除去端と圧縮係合して前記導体と電気的に接触する、請求項１８に記載の組立体。
【請求項２０】
前記コンタクトの前記壁の１つが、前記フレームが前記サンバイザ本体に取り付けられたときに前記導体を取り囲むスロットを含む、請求項１９に記載の組立体。
【請求項２１】
前記電気回路がステンレス鋼からなる、請求項２０に記載の組立体。
【請求項２２】
前記フレームがロックタブを含み、前記サンバイザ本体が、前記フレームを前記サンバイザ本体に固定するスロットを含む、請求項２１に記載の組立体。
【請求項２３】
前記電気部品が、前記ミラーを照明するためのランプである、請求項２２に記載の組立体。
【請求項２４】
前記ミラーフレームに枢動可能に取り付けられたカバーを更に含み、回路はスイッチを更に含み、スイッチは、前記カバーが開位置にあるときに前記スイッチを作動させて前記ランプに動作電力を提供するために前記カバーによって係合される可動コンタクトを含む、請求項２３に記載の組立体。
【請求項２５】
前記ミラーフレームは、閉止型円筒形ソケットと、前記閉止型ソケットから長手方向に離間された開放型半円筒形ソケットとを含み、前記フレームは、少なくとも１つの戻り止めばね収容ソケットを更に含み、前記カバーは、前記閉止型円筒形ソケット内に延在する第１の枢動軸と、前記半円筒形ソケット内にスナップ嵌めされた第２の枢動軸とを含み、前記カバーは、前記カバーと関連付けられたカムを含み、
戻り止めばねが、前記ミラーフレームの前記戻り止めばね収容ソケット内に位置決めされ、前記ミラーフレーム間に延在し、前記カバーのスナップ式の開閉を制御するために前記カバーの関連付けられたカムと係合する、請求項２４に記載の組立体。
【請求項２６】
前記半円筒形ソケット内に前記第２の枢動軸を保持するために前記フレームに結合されたレンズを更に含む、請求項２５に記載の組立体。
【請求項２７】
サンバイザ・バニティミラー組立体であって、
サンバイザ本体と、
ミラーを収容するように適合されたミラーフレームであって、前記ミラーを照明するランプと、カバーを前記フレームにスナップ式に取り付けることができるように前記フレームの縁の近くに設けられたカバー収容ソケットとを含むミラーフレームと、
前記ソケット内に延在する第１と第２の枢動軸を有するカバーと、
前記フレーム内で前記カバー枢動軸の少なくとも１つを保持するために前記フレームに結合されたレンズとを含む組立体。
【請求項２８】
前記ミラーフレームの前記ソケットは、閉止型円筒形ソケットと、前記閉止型ソケットから長手方向に離間された開放型半円筒形ソケットとを含み、前記カバーが、前記閉止型円筒形ソケット内に延在する第１の枢動軸と、前記半円筒形ソケット内にスナップ嵌めされた第２の枢動軸とを含み、前記レンズが、前記半円筒形ソケット内に前記第２の枢動軸を保持する、請求項２７に記載の組立体。
【請求項２９】
前記ミラーフレームが、高分子材料でモールド成形され、前記バニティミラー組立体が前記サンバイザ本体に取り付けられたときに前記サンバイザ本体のコンタクトと係合するように適合されたコンタクトを含むインサート成形電気回路を含む、請求項２８に記載の組立体。
【発明の詳細な説明】
【技術分野】
【０００１】
本発明は、車両用サンバイザに関し、詳細には車両用サンバイザの照明付きバニティミラー組立体に関する。
【背景技術】
【０００２】
照明付きバニティミラーサンバイザは、いまや多くの車両で使用される一般的なオプションである。比較的小さいサンバイザに実用される最大サイズのミラーを提供するために、バニティミラーを照明する小型バニティミラー組立体及び非使用時のミラーのカバーを含む小型バニティミラー組立体を提供することが望ましい。更に、特に小型車両に使用されるときには、比較的薄くて軽いサンバイザ・バニティミラー組立体を有することが望ましい。
【０００３】
従来のサンバイザ組立体は、様々なカバー・ヒンジ組立体を内蔵しており、その中には、バニティミラーを使用するためにカバーが開位置にあるときにランプに電力を選択的に提供するスイッチを制御する操作カムを使用しているものがある。また、ほとんどのサンバイザ組立体は、カバーを開位置又は閉位置に保持するばね式カバーを含む。そのような構造は、米国特許第４，２１３，１６９号、第４，４９１，８９９号、第４，７６０，５０３号、第４，８６６，５７９号、第４，９９７，２２８号、第５，０７８，４４５号、第５，０９８，１５０号、第５，３３１，５１８号、及び第６，０１２，７５７号に示されている（代表として特許文献１参照）。これらの手法は有効であったが、依然として、それ自体組み立てが容易でかつサンバイザへの取り付けが容易で従ってより低コストで製造できる比較的小型で安価なカバー付き照明付きバニティミラーサンバイザ組立体が要望されている。
【０００４】
【特許文献１】米国特許第４，２１３，１６９号
【発明の開示】
【課題を解決するための手段】
【０００５】
本発明のバニティミラー組立体は、バニティミラーフレームを提供することによってこのような要求を満たすが、このバニティミラーフレームは、一実施形態においては、バニティミラーフレーム内にランプ収容ソケットを画定するコンタクトを含むインサート成形電気回路と、作動スイッチと、サンバイザコアに取り付けられたときにコア内の電気導体と位置が合ってサンバイザコアの電源に結合するコンタクトとを有するため、サンバイザ組立中に手による別々の接続段階が不要である。更に、このバニティミラーフレームは、カバーの枢動軸のスナップイン組立のための独特なソケットを含む。カバーは、カバーを保持閉位置と保持開位置の間でバイアス式に開閉して保持するためにフレームとカバーの間に延在する戻り止めばねと係合する少なくとも１つのカムを含む。軸の一方は、カバーが開いているときスイッチと協同してランプに動作電力を提供するカムを含む。
【０００６】
本発明の好ましい実施形態においては、レンズが、ミラーフレームにスナップ嵌めされ、カバーの枢動軸の一方を嵌合クレードル内にロックするように位置決めされる。更に本発明は、バニティミラー組立体等の電気部品を、電気部品上の取付タブを収容するように位置合わせされたアパーチャと電気部品内のコンタクトに結合して電気部品をサンバイザコアに電気的かつ機械的に結合するためにコア内の電気導体と位置合わせされたアパーチャとを備えたコアを有するサンバイザと組み合わせることを意図している。得られた構造は、照明付きバニティミラー、ガレージドア開放トランスミッタ、メモレコーダ等の他の付属品に使用することができる。
【０００７】
本発明のこれら及びその他の特徴、目的及び利点は、添付図面を参照しつつ以下の説明を読むことにより明らかになるであろう。
【発明を実施するための最良の形態】
【０００８】
図１を最初に参照すると、本発明を具体化したサンバイザ１０が示されており、サンバイザ１０は、照明付きバニティミラー組立体２０を含む。また、サンバイザ１０は、サンバイザが車両ヘッドライナー側の持ち上げ格納位置から下降使用位置に枢動ロッド３２のまわりに枢動できるようにすると共に必要に応じて側面窓位置に枢動できるようにするために、サンバイザを車両の屋根に従来の方法で取り付ける枢動ロッド組立体３０を含む。図２に示すように、サンバイザロッド３２は、トルク制御・スライド組立体４０によってサンバイザ本体に取り付けられている。スライド組立体４０は、チャネル４３内に取り付けられており、サンバイザを枢動ロッド３２に沿って調整可能に動かすこともできるようにサンバイザコア５４内に取り付けられたロッド４２に沿ってスライドする。トルク・スライド組立体４０は、２００３年１０月１日に出願された「ＳＬＩＤＩＮＧ  ＶＩＳＯＲ（摺動バイザ）」という名称のＰＣＴ出願（出願番号＿＿＿＿＿）に詳細に開示されている。コア５０は、適切な室内装飾材料１１で覆われている。また、サンバイザ１０は、車両上のソケットに取り外し可能に取り付けられた補助サンバイザクリップ１２を含み、必要に応じて前側風防ガラス位置から側窓位置に枢動できる。
【０００９】
サンバイザ本体５０は、図３に示し、以下に詳細に説明するように、スナップインバニティミラー組立体２０を機械的かつ電気的に収容する。サンバイザ本体５０は、ポリプロピレン等の適切な高分子材料でモールド成形されたコア半体５１及び５３からなるコア５４を含むことが好ましい。コア半体５１及び５３は、ヒンジ線５５（図２）に沿ってヒンジ式に開閉され、互いに折り畳まれ固定されてサンバイザ本体を画定する。枢動ロッド３２は、１対の電気導体５６及び５８を収容する中空枢動ロッドであり、電気導体５６及び５８は、図１６〜図１８に関連して後で説明するように、バニティミラー組立体２０をサンバイザコア５４に電気的に相互接続して照明付きバニティミラー組立体２０に動作電力を提供できるようにするために、位置決め突出部によって位置決めされた被覆除去端を有する絶縁導体である。
【００１０】
バニティミラー組立体２０及びサンバイザコアは、独特な要素を個別に或いは組み合わせて含む。バニティミラー組立体２０は、バニティミラー用スナップインカバーを有するが、このカバーは組み立てが容易であり、スナップインレンズによって適所にロックされる。バニティミラー組立体は更に、所定の位置にモールド成形された電気回路を含み、この電気回路は、電気回路と一体形成されたソケット内に取り付けられたランプに選択的に動作電力を加えるスイッチコンタクトと、バニティミラーパッケージをコアに取り付けた後でサンバイザコアの導体５６及び５８と係合するコンタクトとを画定する。従って、バニティミラー組立体２０の機械的特徴及び電気的特徴の両方により、組立が比較的容易になると共に、照明付きバニティミラー組立体のコストが大幅に軽減される。組立体２０は、様々な形状とサイズを有する様々なサンバイザ本体と共に使用することができ、好ましい実施形態に示したようなスライド式サンバイザに限定される必要はない。
【００１１】
バニティミラー組立体２０は、カバー９０が枢動可能に取り付けられたミラーフレーム７０と、図５と関連して後で説明するようにカバーをフレームに固定するスナップインレンズ１００とを含む。カバーは長方形凹部９２を含み、凹部９２の縁は図１で分かるようにカバーを閉じたときにレンズ１００を取り囲む。カバーがレンズ上に延在するように設計される実施形態もあるし、図１に示したように、地図を読むための光を提供するために、レンズ１００と関連付けられたランプをカバーの動きとは別々に作動させることができる実施形態もある。また、ミラーフレームは、図１３の裏面図にも示されているが、図４と図１３に示したように、図４及び図１０に示すようにミラー２６を支持しており、このミラー２６はカバー９０が開位置にあるときに露出する。フレーム７０は、ポリカーボネート等の適切な高分子材料でモールド成形された略長方形のフレームであり、図４、図６、図１４及び図１５で分かるように、フレームの上縁７２に沿って延在するインサート成形された電気回路１１０を一体的に含む。
【００１２】
図４〜図６で分かるように、フレーム７０は、ミラーの上に略長方形の開口７４を含み、この開口には、電気回路と関連付けられたカートリッジ型ランプ１１５が収容されており、組立後、ランプの上にはレンズ１００が延在する。この開口には、後で説明するようにカバーの枢動軸９８をスナップ式に受けるために、一端の閉止型円筒状ソケット７６と、長手方向に離間された半円形の開放型円筒状ソケット７８とを含み、該ソケット７８は図７で最もよく分かるようにアーチ形部分７９及び８１によって画定されている。カバー９０は、図４の鎖線Ｂによって示したようにソケット７６の円筒状開口内を通る第１の内側突出枢動軸９６を含む。このように差し込まれたとき、カバー９０の長方形凹部９２の反対側の縁から内側突出枢動軸９８は、ソケット７８と位置合わせされ、ソケット７８を画定する弾性脚７９と８１の間にスナップ嵌合する。
【００１３】
カバー９０は、適切な材料から形成されるが、ポリカーボネート等の高分子材料で一体的にモールド成形することができる。カバー９０の上縁９４に沿って１対のカム９５と９７が設けられているが、これらは、ミラーフレーム７０に対してカバー９０をスナップ式に開位置と閉位置に制御するために、図８〜図１０で最もよく分かるように、略Ｕ字型の圧縮ばね１２０、１２２とそれぞれ係合する。ばね１２０、１２２はそれぞれ、図８〜図１０及び図１３で最もよく分かるように、ばね式保持ソケット１２１内に取り付けられている。ソケット１２１は、底面１２５、後壁１２７、及び上壁１２８（図４）によって適切に画定され、上壁１２８は、ばね１２０、１２２をそれぞれ、ミラーフレーム上の所定の位置に、カバー９０のカム９５及び９７と位置合わせした状態で拘束保持する。カバー９０は更に安全ストップ９１及び９３を含むが、これらは図１１と図１２で分かるようにカバーが完全に開いた位置にあるときにストップタブ１３１及び１３３と係合して、開いたカバーの縁が乗員の頭に当たらないように移動の大きさを制限する。図４、図１１、及び図１２で分かるように、ストップ１３１、１３３はそれぞれ凹状ポケット１３２、１３４の縁に形成されている。
【００１４】
カバー９０の第２の枢動ロッド９８は、スイッチ作動カム９９（図４）を含み、スイッチ作動カム９９は、図１４と図１５の電気回路動作と関連して示すように、カバー９０が図１４に示す閉位置から図１５に示す開位置に動かされたときに電気スイッチを閉じる。カバー作動スイッチの動作の詳細は、ミラーフレームへのカバーの取り付けとレンズ１００によるカバーの所定の位置におけるロックについて説明した後で説明する。
【００１５】
カバー７０はフレーム９０内に位置決めされスナップ式にロックされるが、これは図４〜図７で最もよく分かるように、まず閉止型ソケット７６の円筒形の穴にスタブ軸９６の端を差し込み、枢動軸９８を半円筒形ソケット７６の先細りの開口８３（図７）の間に位置合わせし、枢動軸９８を下方に押してカバーをソケットにスナップ嵌めすることによって行う。この組立プロセスは、互いに離間された１対の半円筒形の電気コンタクト１１７及び１１８（図４）によって画定された、カートリッジ型ランプ１１５を収容するランプソケット内にランプ１１５が位置決めされた後で行われる。カバーが位置決めされフレームにスナップ嵌めされると、カム９５及び９７はばね１２０及び１２２とそれぞれ位置が合い、ストップ９１及び９３はロックタブ１３１及び１３３と位置が合う。
【００１６】
カバーが外れるのを防ぎかつランプ１１５を覆うため、レンズ１００を使用してカバー９０の軸９８を所定の位置に確実にロックする。レンズ１００は、フレームの長方形の開口７４と電気回路１１０とを覆うように略長方形である。レンズは、その縁１０１（図５）に沿って１対のロックタブ１０２及び１０４を含み、ロックタブ１０２及び１０４は、タブを受けるためにフレーム７０に形成された、長方形アパーチャ７４の下縁の開放スロット１０６、１０９に嵌る。従って、最初に、レンズ１００の下側前縁をスロット１０６、１０９内に位置決めし、その後で１対のスナップロックソケット部材１０５、１０７を、レンズ１００の後壁１０８と離間した関係で位置決めして下方に押し、フレーム７０の後壁７３から下方に延在する円筒形ポスト１０５’、１０７’にスナップ嵌めする。図７で最もよく分かるように、このようにレンズ１００がフレーム７０と係合されたとき、レンズ１００の半円筒形部分１０９が半円筒形ソケット７８の開口８３内に延在し、半円筒形部分１０９の円弧表面は枢動ロッド９８と係合し且つ枢動ロッド９８をソケット７８内に確実に保持して、カバー９０がフレーム７０から外れるのを防ぐ。従って、閉止型円筒状ソケット７６と開放型半円筒形ソケット７８と枢動軸の組合せがレンズ１００と共に、フレームにカバーが確実に固定接続されたスナップ組立式（snap-together）のカバー・フレームを提供する。
【００１７】
フレームは、更に、複数の離間したロックタブ７５（図３）を含み、これらのロックタブは、バニティミラー組立体２０をサンバイザに機械的に結合するために、サンバイザコア５４内に形成された収容スロット２５内に嵌り、バニティミラー組立体２０を確実にロックする。フレーム７０はまた、位置合わせと組み立てを容易にするために、ロックタブ７５よりも大きな距離だけフレームから外側に突出しかつサンバイザ本体１４のソケット２７内に延在する位置決めポスト７７を含み、この位置決めポスト７７は、バニティミラー組立体２０をサンバイザ本体１４に機械的に固定するだけでなく、後で示すように、フレーム７０内の回路１１０をコア５４内の導体５６及び５８に電気的に結合させる。
【００１８】
電気回路１１０は、後で説明するように、ランプソケットを構成するコンタクト１１７、１１８がランプ１１５を収容するフレームの前部の方に延在し、１対のコンタクト１５０、１６０がサンバイザコアの方に下方に延在して導体５６、５８と係合するように、フレーム７０の上側部分の底面８５（図１３〜図１５）と上壁８７（図６、図１４及び図１５）の間にインサート成形される。コンタクト１５０の一方がシステムのアースに接続され、他方のコンタクト１６０がシステムの正電源に接続され、これによりランプソケット部分１１７、１１８も接続される。回路は、また、可動コンタクト１１３と固定コンタクト１１４を含む電気スイッチ１１２を画定し、この電気スイッチ１１２は、図１４と図１５で分かるように、カバーが開位置に動かされたときにカム９９によって操作され、スイッチ可動コンタクト１１３を固定コンタクト１１４と係合させて電気回路を閉じてランプ１１５に動作電力を加える。次に、コンタクト１５０と１６０の幾何学形状について、バニティミラー組立体をサンバイザ本体に機械的に固定すると同時にこれらへの電気的相互結合を提供する導体５６及び５８の整形及び保持と共に、図１６〜図１９と関連づけて説明する。
【００１９】
コンタクト１５０と１６０は、図１８と図１９で最もよく分かるように、ステンレス鋼からなる打ち抜き電気回路１１０と一体形成されたばねクリップであり、バニティミラー組立体２０がサンバイザ本体に取り付けられたときにコンタクト１５０及び１６０が導体５６及び５８の被覆除去端５５とロック可能に係合して被覆除去端５５を固定するのに十分な圧縮力を提供する。コンタクト１５０、１６０はそれぞれ、図１７と図１８で分かるように、略Ｕ字型のスロット１５４が形成された第１の壁１５２と、第２の壁１５６とを有し、これらの壁は、端部１５５及び１５７で外方に向けて収れんするように構成されている。図１６と図１７で最もよく分かるように、壁１５６の環状部分１５８は、スロット１５４を画定する脚と係合し、スロット１５４を横切って延在している。
【００２０】
サンバイザコア５４の底面１７２からフック１７４を含む第１の突出部１７０が上方に延在し、導体５６や５８等の導体の絶縁体部分はフック１７４に図１６〜図１８に示したように保持される。突出部１７０と離間して底面１７２から上方に延在する第２の突出部１８０にＶ字形の切欠き１８２が形成されており、各導体の被覆除去端５５はこの切欠き１８２内を通る。図１７と図１８で最もよく分かるように、被覆除去端５５は切欠き１８２の底部をまたいで延在しており、バニティミラー組立体２０が位置決めピン７７によってコア上に位置決めされ押し込まれてコア（図３と図１６）内のロックタブ７５係合スロット２５と係合しているとき、クリップ１５０及び１６０の開放端は、導体５６及び５８の各被覆除去端５５をまたぐ各クリップのスロット１５４と位置が合った状態で突出部１８０を越えて延在している。バニティミラー組立体が、下方に押されてサンバイザコアとロック係合するとき、クリップコンタクト１５０及び１６０は、図１８で分かるように導体５６及び５６の被覆除去端５５と係合しそこにロックして、回路１１０との確実な電気接続を提供する。カバー９０が開位置に動かされたとき、回路１１０は、動作電力を、車両の電源システムから導体５６及び５８とスイッチ１１２を介してランプ１１５に選択的に加える。
【００２１】
従って、本発明のシステムにより提供されるバニティミラーパッケージは、カバー・レンズスナップ組立体と、バニティミラー組立体をサンバイザコアの適切な位置にスナップ嵌めすることによって相互接続を行うインサート成形電気回路とを提供し、これによりサンバイザコアに対する電気的接続と機械的接続の両方を比較的迅速に従って安価な組立プロセスで行うことができる。本発明のサンバイザと関連して照明付きバニティミラーパッケージ２０が示されているが、本発明の独特な回路相互接続は、各種電気部品を備えた他のハウジングにも使用でき、電気導体を含むサンバイザ本体にハウジング内の電気部品を電気的に相互接続することができる。従って、本発明の構造を利用して、Ｈｏｍｅｌｉｎｋ（登録商標）ブランドのプログラム可能なガレージドア開放トランスミッタ或いはメモレコーダ用のスナップインハウジングを、サンバイザ本体内に電力導体を有するサンバイザに機械的かつ電気的に結合することができる。
【００２２】
添付の特許請求の範囲によって定義されるような本発明の趣旨又は範囲から逸脱することなく、本明細書に示したような本発明の好ましい実施形態に対して上に記載の及びその他の変更を行うことができることは当業者に明らかになるであろう。
【図面の簡単な説明】
【００２３】
【図１】本発明を具体化したサンバイザとバニティミラー組立体の正面立面図である。
【図２】サンバイザの内部部品を露出した開位置で示した図１のサンバイザの本体の上面図である。
【図３】サンバイザ本体へのバニティミラー組立体の取り付けを示すために室内装飾を除去しバニティミラー組立体を分離した図１に示したサンバイザの正面立面図である。
【図４】バニティミラー組立体のフレームとカバーを部分的に分解した拡大断片斜視図である。
【図５】レンズとその取り付け構造を示すバニティミラー組立体の部分的に分解した正面立面図である。
【図６】図５に示した丸で囲んだ構造の大きく拡大した断片的正面立面図である。
【図７】図５に示したように取り付けたときのレンズによるカバー枢動軸のうちの１つのロック状態を示す図１の断面線ＶＩＩ−ＶＩＩに沿って切断した大きく拡大した断面図である。
【図８】カバー閉位置において示したカバー戻り止めばねのうちの１つの動作を示す図６の断面線ＶＩＩＩ−ＶＩＩＩに沿って切断した拡大した断片断面図である。
【図９】図９の矢印Ａで示したような開位置の方に動くカバーを示す図６の断面線ＩＸ−ＩＸに沿って切断した図８に示した構造の拡大断片断面図である。
【図１０】開位置のカバーを示す図６の断面線Ｘ−Ｘに沿って切断した拡大した断片断面図である。
【図１１】カバーが閉位置にある状態のカバーストップを示す図６の断面線ＸＩ−ＸＩに沿って切断した拡大した断片断面図である。
【図１２】カバーストップがフレームと係合している状態でカバーを開位置で示した図６の断面線ＸＩＩ−ＸＩＩに沿って切断した拡大した断片断面図である。
【図１３】図１に示すバニティミラー組立体の拡大した後面図である。
【図１４】スイッチが開位置にある状態で示したバニティミラー組立体の電気スイッチと協同した軸カムの動作を示す図６の断面線ＸＩＶ−ＸＩＶに沿って切断した拡大した断片断面図である。
【図１５】スイッチが閉位置にある状態で示したバニティミラー組立体の電気スイッチと協同した軸カムの動作を示す図６の断面線ＸＶ−ＸＶに沿って切断した拡大した断片断面図である。
【図１６】図３にも示したように、バニティミラーパッケージをサンバイザコアに取り付ける際のサンバイザコアとバニティミラーの拡大した断片斜視図である。
【図１７】組立時におけるサンバイザ本体内に収容された導体へのバニティミラー回路の電気接続を示す大きく拡大した断片縦断面図である。
【図１８】バニティミラー組立体をサンバイザ本体に取り付けた後の図１７に示した構造の大きく拡大した縦断面図である。
【符号の説明】
【００２４】
２０  バニティミラー組立体
７０  ミラーフレーム
７６  円筒形ソケット
７８  半円筒形ソケット
９０  カバー
９６、９８  枢動軸
１００  レンズ
１１５  ランプ
【図１】
2006506275.tif 000003
【図２】
2006506275.tif 000004
【図３】
2006506275.tif 000005
【図４】
2006506275.tif 000006
【図５】
2006506275.tif 000007
【図６】
2006506275.tif 000008
【図７】
2006506275.tif 000009
【図８】
2006506275.tif 000010
【図９】
2006506275.tif 000011
【図１０】
2006506275.tif 000012
【図１１】
2006506275.tif 000013
【図１２】
2006506275.tif 000014
【図１４】
2006506275.tif 000015
【図１５】
2006506275.tif 000016
【図１３】
2006506275.tif 000017
【図１６】
2006506275.tif 000018
【図１７】
2006506275.tif 000019
【図１８】
2006506275.tif 000020
【手続補正書】
【提出日】平成16年6月16日(2004.6.16)
【手続補正１】
【補正対象書類名】特許請求の範囲
【補正対象項目名】全文
【補正方法】変更
【補正の内容】
【特許請求の範囲】
【請求項１】
バニティミラー組立体であって、
ミラーと前記ミラー照明用のランプとを収容するように適合され、閉止型円筒形ソケットと、前記閉止型円筒形ソケットから長手方向に離間された開放型半円筒形ソケットとを含むミラーフレームと、
前記閉止型円筒形ソケット内に延在する第１の枢動軸と、前記開放型半円筒形ソケット内にスナップ嵌合する第２の枢動軸とを有するカバーと、
前記ランプを覆って前記ミラーフレーム内にスナップ嵌合するように適合され、前記カバーを前記ミラーフレームと係合した状態で保持するために前記第２の枢動軸と係合する縁部を有するレンズを含むバニティミラー組立体。
【請求項２】
前記ミラーフレームが、高分子材料でモールド成形され、前記バニティミラー組立体がサンバイザコアに取り付けられたときにサンバイザコアの導体と係合するように適合されたコンタクトを含むインサート成形電気回路を含む、請求項１に記載の組立体。
【請求項３】
前記電気回路が、更に、前記ランプを収容するランプソケットを画定する、請求項２に記載の組立体。
【請求項４】
前記電気回路が、更に、偏倚可能なスイッチコンタクトを含むスイッチを含む、請求項３に記載の組立体。
【請求項５】
前記カバーの前記第１と第２の枢動軸の一方が、前記カバーが開位置にあるときに前記スイッチを作動させて前記ランプソケット内に配置されたランプに動作電力を提供するために前記偏倚可能なコンタクトと選択的に係合するスイッチカムを含む、請求項４に記載の組立体。
【請求項６】
前記フレームが、少なくとも１つのカバー係合ばねを含み、前記カバーが、前記カバーを開位置と閉位置に選択的に保持するために前記ばねと係合するカムを含む、請求項５に記載の組立体。
【請求項７】
前記カバーが、レンズを取り囲む凹部を含み、この凹部は、カバーがフレームとレンズに対して動くことを許容する、請求項６に記載の組立体。
【請求項８】
照明付きバニティミラー組立体であって、
ミラーを収容するように適合されたミラーフレームであって、前記フレームの縁の近くに一対のカバー収容ソケットを含み、前記ソケットの一方は枢動軸を拘束保持するための円筒形ソケットであり、他方のソケットはカバーを前記フレームにスナップ式に取付けできる開放型ソケットであり、前記フレームは少なくとも１つの戻り止めばね収容ソケットとを更に含むミラーフレームと、
前記円筒形ソケット及び開放型ソケット内に延在する第１及び第２の枢動軸が一体的に形成されたカバーであって、前記カバーのスナップ式開閉を制御するために前記戻り止めばねと位置合わせされたカムを含むカバーと、
前記フレーム内で前記カバー枢動軸の少なくとも１つを保持するために前記フレームに結合されたレンズとを含む組立体。
【請求項９】
前記ミラーフレームが、高分子材料でモールド成形され、前記バニティミラー組立体がサンバイザコアに取り付けられたときにサンバイザコアの導体と係合するように適合されたコンタクトを含むインサート成形電気回路を含む、請求項８に記載の組立体。
【請求項１０】
前記電気回路が、更に、前記ランプを収容するランプソケットを画定する、請求項９に記載の組立体。
【請求項１１】
前記電気回路が、更に、偏倚可能なスイッチコンタクトを含むスイッチを含む、請求項１０に記載の組立体。
【請求項１２】
前記カバーの前記第１と第２の枢動軸の一方が、前記カバーが開位置にあるときに前記スイッチを作動させて前記ランプソケット内に配置されたランプに動作電力を提供するために前記偏倚可能なコンタクトと選択的に係合するスイッチカムを含む、請求項１１に記載の組立体。
【請求項１３】
電気部品を収容するように適合されたハウジングを含むサンバイザ用電気的組立体の改良であって、
前記ハウジングが、高分子材料でモールド成形されていると共に、前記ハウジング内の電気部品に結合されたインサート成形電気回路を含み、前記電気回路は、前記ハウジングをサンバイザコアに組み立てたときに、サンバイザコア内で利用可能な電源を前記電気部品に結合するためにサンバイザコアのコンタクトと係合するように適合されたコンタクトを含む
ことを含む組立体。
【請求項１４】
前記ハウジングが照明付きバニティミラーフレームであり、前記電気部品がランプである、請求項１３に記載の組立体。
【請求項１５】
前記ミラーフレームに枢動可能に取り付けられたカバーを更に含み、回路は更にスイッチを含み、スイッチは、前記カバーが開位置にあるときに前記スイッチを作動させて前記ランプに動作電力を提供するために前記カバーによって係合される偏倚可能な要素を含む、請求項１４に記載の組立体。
【請求項１６】
サンバイザ・バニティミラー組立体であって、
車両電気システムに結合する少なくとも１つの電気導体を有するサンバイザ本体と、
ミラーを収容するように適合されたミラーフレームとを含み、前記ミラーフレームが、高分子材料でモールド成形され、前記ミラーフレーム内の電気部品に結合されたインサート成形電気回路を含み、前記電気回路は、前記フレームが前記サンバイザ本体に取り付けられたときに前記サンバイザ本体の前記導体と係合して前記本体内で利用可能な電源を前記電気部品に結合するように適合された少なくとも１つのコンタクトを含む組立体。
【請求項１７】
前記サンバイザ本体は、前記電気回路の前記コンタクトと係合される位置に導体を露出させた被覆除去端を有する絶縁電気導体を位置決めする少なくとも１つの導体保持突出部を含む、請求項１６に記載の組立体。
【請求項１８】
前記サンバイザ本体が、前記導体を前記サンバイザ本体に保持するフックを含む第１の突出部と、前記導体の被覆除去端を受け入れ固定位置において保持する切欠きを含む第２の突出部とを含む、請求項１７に記載の組立体。
【請求項１９】
前記電気回路の前記コンタクトは、離間した１対のばね付勢式の壁を含み、前記一対の壁は、前記サンバイザ本体の前記第２の突出部をまたいで延在し、前記フレームが前記サンバイザ本体に取り付けられたときに前記切欠き内に保持された前記導体の前記被覆除去端と圧縮係合して前記導体と電気的に接触する、請求項１８に記載の組立体。
【請求項２０】
前記コンタクトの前記壁の１つが、前記フレームが前記サンバイザ本体に取り付けられたときに前記導体を取り囲むスロットを含む、請求項１９に記載の組立体。
【請求項２１】
前記電気回路がステンレス鋼からなる、請求項２０に記載の組立体。
【請求項２２】
前記フレームがロックタブを含み、前記サンバイザ本体が、前記フレームを前記サンバイザ本体に固定するスロットを含む、請求項２１に記載の組立体。
【請求項２３】
前記電気部品が、前記ミラーを照明するためのランプである、請求項２２に記載の組立体。
【請求項２４】
前記ミラーフレームに枢動可能に取り付けられたカバーを更に含み、回路はスイッチを更に含み、スイッチは、前記カバーが開位置にあるときに前記スイッチを作動させて前記ランプに動作電力を提供するために前記カバーによって係合される可動コンタクトを含む、請求項２３に記載の組立体。
【請求項２５】
前記ミラーフレームは、閉止型円筒形ソケットと、前記閉止型ソケットから長手方向に離間された開放型半円筒形ソケットとを含み、前記フレームは、少なくとも１つの戻り止めばね収容ソケットを更に含み、前記カバーは、前記閉止型円筒形ソケット内に延在する第１の枢動軸と、前記半円筒形ソケット内にスナップ嵌めされた第２の枢動軸とを含み、前記カバーは、前記カバーと関連付けられたカムを含み、
戻り止めばねが、前記ミラーフレームの前記戻り止めばね収容ソケット内に位置決めされ、前記ミラーフレーム間に延在し、前記カバーのスナップ式の開閉を制御するために前記カバーの関連付けられたカムと係合する、請求項２４に記載の組立体。
【請求項２６】
前記半円筒形ソケット内に前記第２の枢動軸を保持するために前記フレームに結合されたレンズを更に含む、請求項２５に記載の組立体。
【請求項２７】
サンバイザ・バニティミラー組立体であって、
サンバイザ本体と、
ミラーフレームであって、ミラーと、カバーを前記フレームにスナップ式に取り付けることができるように前記フレームの縁の近くに設けられたカバー収容ソケットとを収容するように適合されたミラーフレームと、
前記ソケット内に延在する第１と第２の枢動軸を有するカバーと、
前記フレーム内で前記カバー枢動軸の少なくとも１つを保持するために前記フレームに結合されたレンズとを含み、前記ミラーフレームの前記ソケットは、閉止型円筒形ソケットと、前記閉止型ソケットから長手方向に離間された開放型半円筒形ソケットとを含み、前記カバーが、前記閉止型円筒形ソケット内に延在する第１の枢動軸と、前記半円筒形ソケット内にスナップ嵌めされた第２の枢動軸とを含み、前記レンズが、前記半円筒形ソケット内に前記第２の枢動軸を保持する組立体。
【請求項２８】
前記ミラーフレームが前記ミラーを照明するランプを含み、前記ミラーフレームが、高分子材料でモールド成形され、前記バニティミラー組立体が前記サンバイザ本体に取り付けられたときに前記サンバイザ本体のコンタクトと係合するように適合されたコンタクトを含むインサート成形電気回路を含む、請求項２７に記載の組立体。
【国際調査報告】
2006506275.tif 000021